(57)【要約】【課題】免震建物が溝から離れる方向に大きく移動したときでも、溝の上部開口をカバー材で塞ぐことができるとともに、そのカバー材の上に人が乗って歩行しても足を引っ掛けたり挟まれたりすることのない安全性に優れる免震建物の溝カバー装置を提供する。【解決手段】免震建物１の周りの溝３の上部開口を覆う庇部１ａと、溝３の外周部の起立壁部４の内側上部に回動可能に設けられた支持材８と、起立壁部４の上端部と支持材８の上端部との間に跨って水平に配置されたカバー材１６とを具備する。支持材８は、垂直軸回り方向に回動可能で、起立壁部４に対してほぼ直角に突出する状態に保持されてカバー材１６を支持し、免震建物１が起立壁部４に接近する方向に移動したときに、支持材８が倒伏する方向に引張りばね１３に抗して回動し、かつカバー材１６が起立壁部４の外方側にスライドする。【選択図】    図１
2011220005.tif 000002
【特許請求の範囲】
【請求項１】
免震建物の周りの溝の上部開口を覆うように前記免震建物に一体的に設けられた庇部と、前記溝の外周部の起立壁部の内側上部に回動可能に設けられた支持材と、前記起立壁部の上端部と前記支持材の上端部との間に跨って水平に配置されたカバー材とを具備し、
前記支持材は、垂直軸回り方向に回動可能で、通常時には前記起立壁部に対してほぼ直角に突出する状態に保持されて前記カバー材を支持し、前記免震建物が前記起立壁部に接近する方向に移動したときに、その免震建物で前記支持材が押されて前記起立壁部に対して倒伏する方向に弾性部材による弾性力に抗して回動し、かつ前記カバー材が前記起立壁部の外方側にスライドし、前記起立壁部に接近した前記免震建物が前記起立壁部から離れる方向に移動したときに、前記支持材が前記弾性部材による弾性力で前記起立壁部に対して直角に突出する方向に回動し、かつその回動の動作で前記カバー材が前記起立壁部の内方側に移動することを特徴とする免震建物の溝カバー装置。
【請求項２】
起立壁部の内側には、水平方向に所定の間隔をあけて複数の支持材が設けられ、前記カバー材がその複数の支持材により支持されていることを特徴とする請求項１に記載の免震建物の溝カバー装置。
【発明の詳細な説明】
【技術分野】
【０００１】
この発明は、免震建物の周囲の溝に設けられる免震建物の溝カバー装置に関する。
【背景技術】
【０００２】
免震建物の周りには、地震時における免震建物の揺れの動きを吸収するための溝が形成されている。そして免震建物の躯体には、その周りの溝に向って突出する庇部が設けられ、通常時にはその庇部で溝の上部開口が覆われ、溝への人の転落などが防止される。
【０００３】
地震の発生時には、免震建物の躯体が地盤に対して相対的に揺れ動き、この揺れ動きで免震建物の庇部が溝に対して接近したり離間したりする。庇部が溝に対して大きく離間したときには、その溝の上部開口が開き、その空間部を通して人が溝に転落する恐れがある。
【０００４】
そこで、特開２０００−１２０１８７公報（特許文献１）においては、溝の外周側における起立壁部の上部に補助蓋を設け、躯体側の庇部が離反したときでも、空間部が生じないようにしている。この特許文献１の補助蓋は、一端縁部が溝の起立壁部の上部にヒンジを介して上下に回動可能に取り付けられ、通常時にはリンク機構により水平に支持されている。
【０００５】
地震が発生し、免震建物の躯体が溝から離間する方向に大きく移動したときには、その水平状態の補助蓋で溝の起立壁部と躯体側の庇部との間に生じる空間部を塞ぎ、躯体が溝側に近づく方向に大きく移動したときには、前記補助蓋を支持するリンク機構が屈曲し、補助蓋が前記ヒンジを介して下方に回動して折り畳まれることで補助蓋の破損を防止するようにしている。
【先行技術文献】
【特許文献】
【０００６】
【特許文献１】特開２０００−１２０１８７公報
【発明の概要】
【発明が解決しようとする課題】
【０００７】
しかしながら、特許文献１における補助蓋は、ヒンジを介して溝の起立壁部の上部に取り付けられており、したがってその補助蓋と起立壁部との間には隙間や段差が生じ、免震建物が溝から離れる方向に移動したときには、その補助蓋に隣接する隙間や段差が表面に露出する。このため、この補助蓋の上に人が乗って歩行するときに、その隙間や段差に足を引っ掛けたり挟まれたりするなどして不測の危険を招く恐れがある。
【０００８】
この発明はこのような点に着目してなされたもので、その目的とするところは、免震建物が溝から離れる方向に大きく移動したときでも、溝の上部開口をカバー材で塞ぐことができるとともに、そのカバー材の上に人が乗って歩行しても足を引っ掛けたり挟まれたりすることのない安全性に優れる免震建物の溝カバー装置を提供することにある。
【課題を解決するための手段】
【０００９】
この発明は、このような目的を達成するために、免震建物の周りの溝の上部開口を覆うように前記免震建物に一体的に設けられた庇部と、前記溝の外周部の起立壁部の内側上部に回動可能に設けられた支持材と、前記起立壁部の上端部と前記支持材の上端部との間に跨って水平に配置されたカバー材とを具備し、前記支持材は、垂直軸回り方向に回動可能で、通常時には前記起立壁部に対してほぼ直角に突出する状態に保持されて前記カバー材を支持し、前記免震建物が前記起立壁部に接近する方向に移動したときに、その免震建物で前記支持材が押されて前記起立壁部に対して倒伏する方向に弾性部材による弾性力に抗して回動し、かつ前記カバー材が前記起立壁部の外方側にスライドし、前記起立壁部に接近した前記免震建物が前記起立壁部から離れる方向に移動したときに、前記支持材が前記弾性部材による弾性力で前記起立壁部に対して直角に突出する方向に回動し、かつその回動の動作で前記カバー材が前記起立壁部の内方側に移動することを特徴としている。
【発明の効果】
【００１０】
この発明によれば、免震建物が溝から離れる方向に大きく移動したときでも、溝の上部開口をカバー材で塞ぐことができる。カバー材は、起立壁部の上端部と支持材の上端部との間に跨って水平に配置され、途中に段差や隙間がなく全体が平坦状に広がる部材であるから、このカバー材の上に人が乗って歩行するようなときに、足が引っ掛かったり挟まれたりすることがなく、安全にスムーズに歩行することができる。
【図面の簡単な説明】
【００１１】
【図１】（Ａ）はこの発明の一実施形態に係る溝カバー装置を示す平面図、（Ｂ）は同じく断面図。
【図２】（Ａ）はその溝カバー装置における支持材の取付構造を示す平面図、（Ｂ）は同じくその側面図。
【図３】（Ａ）はその溝カバー装置における一方向の動作時の状態を示す平面図、（Ｂ）は同じく断面図。
【図４】（Ａ）はその溝カバー装置における他方向の動作時の状態を示す平面図、（Ｂ）は同じく断面図。
【発明を実施するための形態】
【００１２】
以下、この発明の一実施形態について図面を参照して説明する。
【００１３】
図１に示すように、免震建物１の周りにはその揺れの動きを吸収するための溝３が形成されている。溝３の外周の起立壁部４は、例えばコンクリート製の擁壁からなり、この起立壁部４の外側が免震建物１の周囲の敷地である。
【００１４】
免震建物１の躯体の一部は庇部１ａとして外側にほぼ水平に突出し、通常時にはこの庇部１ａの先端部が起立壁部４の上端面の上に重なって対向するように配置され、この庇部１ａにより溝３の上部開口３ａが覆われている。
【００１５】
起立壁部４の内側上部には、水平方向に所定の間隔をあけて複数の支持材８が取り付けられている。これら支持材８の取り付け構造を図２に示してあり、起立壁部４には金属板からなるベース９がアンカーボルト１０を介して取り付けられ、このベース９にヒンジ１１を介して支持材８が回動可能に取り付けられている。
【００１６】
支持材８は、例えばステンレスなどの金属板からなり、その板面が垂直となる起立状態で起立壁部４に取り付けられ、ヒンジ１１を中心に左右方向つまり垂直軸回り方向に回動することが可能となっている。
【００１７】
支持材８と起立壁部４との間には弾性部材としてそれぞれ引張りばね１３が張設され、この引張りばね１３により支持材８が図２（Ａ）における反時計回り方向に弾性的に付勢されている。
【００１８】
支持材８の回動範囲は、起立壁部４に対してほぼ直角に突出する突出状態から一方向に回動して起立壁部４に対して倒伏する倒伏状態にまで移動することが可能な範囲に規制され、通常時には、支持材８は引張りばね１３による弾性力で起立壁部４に対してほぼ直角に突出する突出状態に保持されている。
【００１９】
支持材８の上端部には、その上端部の長手方向に沿って延びる水平な摺動板１５が一体的に設けられている。摺動板１５は起立壁部４の上端面とほぼ面一をなすように配置され、その起立壁部４の上端面と摺動板１５の上面との間に跨って、ステンレスなどの金属板からなるカバー材１６が水平に配置されている。
【００２０】
カバー材１６は、起立壁部４の左右方向つまり起立壁部４の上端面の長手方向に沿って連続して延びる長板状の板材で、起立壁部４の上端面と、その起立壁部４の内側に取り付けられた複数の支持材８の各摺動板１５の上面とで水平に支持され、かつ起立壁部４の厚さ方向にスライドすることが可能となっている。
【００２１】
カバー材１６には、起立壁部４の内方側に突出する一端縁にその下方にほぼ直角に屈曲する受け部１７が一体に形成されている。また、各支持材８には、起立壁部４の内方側に突出する一端縁の上部に突出片１８が一体に形成されている。この突出片１８は、図２（Ａ）に示すように、支持材８の板面に対して一方向つまり支持材８の倒伏側に屈曲して所定の角度で傾斜している。そして、この突出片１８の先端部が当接部１８ａとして前記カバー材１６の受け部１７の内面に接触している。
【００２２】
当接部１８ａの位置は、ヒンジ１１の中心を通り、かつカバー材１６の長手方向と直角な仮想線よりも、支持材８の倒伏側方向に偏位した位置となっている。したがって、カバー材１６にその長手方向と直角の矢印Ｐ方向の力が加わったときに、支持材８にヒンジ１１を中心とするモーメントが生じ、支持材８が引張りばね１３の弾性力に抗して倒伏方向に回動するようになっている。支持材８が回動するときには、支持材８の摺動板１５がカバー材１６の下面に対して摺動する。
【００２３】
次に、作用について説明する。
【００２４】
通常においては、図１に示すように、免震建物１の周りの溝３はその上部開口３ａが免震建物１の躯体の一部である庇部１ａで覆われ、その庇部１ａにより溝３への人の転落などが防止される。
【００２５】
この状態から、地震が発生し、図３に示すように、免震建物１が相対的に溝３から離れるＸ１方向に大きく移動すると、免震建物１の庇部１ａが起立壁部４の上端面と重なる位置から起立壁部４の内方側の位置に変位し、起立壁部４と庇部１ａとの間に溝３に通じる空間が生じる。しかしながら、起立壁部４の上部には、起立壁部４からその内方側に延びるカバー材１６が設けられており、このため起立壁部４と庇部１ａとの間の空間がそのカバー材１６により塞がれ、溝３内への人の転落などが防止される。
【００２６】
カバー材１６は起立壁部４の上端部と、その起立壁部４の内側に設けられた複数の支持材８とで支持されており、したがって高い強度が保たれ、このカバー材１６の上に人が乗ってもその荷重を十分に支えることができる。
【００２７】
そして、カバー材１６は起立壁部４の上端部からその内方側に一体的に延びる部材で、途中に段差や隙間がなく全体が平坦状に広がっており、したがってこのカバー材１６の上に人が乗って歩行するようなときに、足が引っ掛かったり挟まれたりすることなく、安全にスムーズに歩行することができる。
【００２８】
一方、図４に示すように、地震の発生で免震建物１が起立壁部４に近づくＸ２方向に大きく移動したときには、免震建物１の庇部１ａが起立壁部４の外方側に突出し、免震建物１の躯体がカバー材１６の受け部１７に衝突してそのカバー材１６が図２にける矢印Ｐ方向に押圧される。そしてこの押圧力で各支持材８がヒンジ１１を中心に図２における時計方向すなわち起立壁部４に対して倒伏する方向に回動するとともに、カバー材１６が免震建物１と一体的に起立壁部４の外方側方向にスライドする。
【００２９】
このように、免震建物１が起立壁部４に接近するＸ２方向に移動するときには、その免震建物１の動作でカバー材１６が起立壁部４の外方側にスライドするとともに、各支持材８が起立壁部４に対して倒伏する方向に回動して折り畳まれ、したがってカバー材１６及び各支持材８の破損を防止することができる。
【００３０】
免震建物１がＸ２方向に移動した後にその逆方向に免震建物１が移動して当初の位置に復帰するときには、免震建物１の移動に応じて各支持材８が引張りばね１３の弾性力でヒンジ１１を中心に起立壁部４から離れる方向に回動するとともに、この回動でカバー材１６が各支持材８で押され、起立壁部４の内方側にスライドする。そして、各支持材８が起立壁部４に対してほぼ直角に突出する状態にまで回動したときに各支持材８の回動が停止して当初の状態に戻る。
【符号の説明】
【００３１】
１…免震建物
１ａ…庇部
３…溝
３ａ…溝の上部開口
４…起立壁部
８…支持材
９…ベース
１０…アンカーボルト
１１…ヒンジ
１５…摺動板
１６…カバー材
１７…受け部
１８…突出片
１８ａ…当接部
【図１】
2011220005.tif 000003
【図２】
2011220005.tif 000004
【図３】
2011220005.tif 000005
【図４】
2011220005.tif 000006